(57)【要約】      （修正有）【課題】空調室の内装面に付着した汚れを簡単に且つムラを残すことなく除去することができる空調室内装面の汚れ除去方法を提供する。【解決手段】室内機１の吹出口周辺の、化粧石膏ボード３０からなる内装面に付着した汚れを除去する方法。汚れが付着した内装面を研磨する研磨工程と、研磨工程において発生し前記内装面に付着した前記化粧石膏ボード３０の粉体を当該内装面に放置した状態で、前記研磨をした内装面に水を噴霧する噴霧工程とを含んでいる。【選択図】図４
2014119203.tif 000002
【特許請求の範囲】
【請求項１】
室内機（１）の吹出口（８）周辺の、化粧石膏ボード（３０）からなる内装面に付着した汚れを除去する方法であって、
汚れが付着した内装面を研磨する研磨工程と、
研磨工程において発生し前記内装面に付着した前記化粧石膏ボード（３０）の粉体を当該内装面に放置した状態で、前記研磨をした内装面に水を噴霧する噴霧工程と
を含むことを特徴とする空調室内装面の汚れ除去方法。
【請求項２】
前記室内機（１）は、化粧パネル（３）を備えた天井埋め込み型の室内機であり、
前記内装面は天井面（２０）であり、
前記研磨工程は、前記化粧パネル（３）を天井面に取り付けた状態で行われる、請求項１に記載の空調室内装面の汚れ除去方法。
【請求項３】
前記研磨工程は、室内機（１）の化粧パネル（３）を新しい化粧パネル（３）と交換した後に行われる、請求項２に記載の空調室内装面の汚れ除去方法。
【請求項４】
室内機（１）の吹出口（８）周辺の、化粧石膏ボード（３０）からなる内装面に付着した汚れを除去する方法であって、
前記室内機（１）は、化粧パネル（３）を備えた天井埋め込み型の室内機であり、
前記内装面は天井面（２０）であり、
前記室内機（１）の化粧パネル（３）を取り外した状態で、前記天井面（２０）を裏側から支持しつつ汚れが付着した天井面（２０）を研磨することを特徴とする空調室内装面の汚れ除去方法。
【請求項５】
研磨時に発生し前記天井面（２０）に付着した前記化粧石膏ボード（３０）の粉体を当該天井面（２０）に放置した状態で、前記天井面（２０）に水を噴霧する、請求項４に記載の空調室内装面の汚れ除去方法。
【発明の詳細な説明】
【技術分野】
【０００１】
本発明は空調室内装面の汚れ除去方法に関する。さらに詳しくは、室内機の吹出口周辺の天井面などの空調室内装面に付着した汚れを除去する方法に関する。
【背景技術】
【０００２】
室内機の吹出口から空調室に吹き出される空気は、当該室内機に内蔵されているフィルタを通過しているので、ほこりなどの塵埃（以下、単に「ほこり」ともいう）がほとんど含まれていない清浄な空気である。しかし、吹出空気の方向や風速によっては、この吹出空気に起因して渦流が発生し、空調室内で発生したほこりが当該渦流に乗って天井面などの内装面に到達し、当該内装面に付着することがある。このため、長期間に亘り室内機を運転すると、前記ほこりからなる汚れが吹出口周辺の天井面に付着してしまう。
【０００３】
このような汚れの付着を防止するために、吹出口に配設される水平羽根に改良を加えることや、吹出口の縁部と天井面との距離を所定距離以上に保つことができるように化粧パネルの上下方向の位置を設定することなどが種々提案されている。
【０００４】
しかし、前述した提案は、いずれも汚れの付着を防止ないしは抑制する技術であり、現実に天井面などに付着した汚れを除去する技術ではない。
【０００５】
室内機の場合、長期間使用すると、前述したように吹出口周辺の天井面が汚れてしまい美観上問題となることがある。
【０００６】
このため、従来、汚れた天井部分のボードを新しいものと張り替えたり（例えば、特許文献１参照）、薬品を用いて汚れた天井面を洗浄したりしている。
【先行技術文献】
【特許文献】
【０００７】
【特許文献１】特開平１１−２５６７５３号公報
【発明の概要】
【発明が解決しようとする課題】
【０００８】
しかし、特許文献１記載のようにボードを張り替える場合、張り替えるのに時間と手間がかかるとともに、古いボードと新しいボードとがつぎはぎのような外観になるという問題がある。
【０００９】
また、薬品を用いて洗浄する場合、洗浄後に天井面を雑巾で拭き取る必要があるが、このときに拭き取りムラができ、このムラが残ってしまうという問題がある。
【００１０】
本発明は、このような事情に鑑みてなされたものであり、空調室の内装面に付着した汚れを簡単に且つムラを残すことなく除去することができる空調室内面の汚れ除去方法を提供することを目的としている。
【課題を解決するための手段】
【００１１】
（１）本発明の第１の観点に係る空調室内装面の汚れ除去方法（以下、単に「汚れ除去方法」ともいう）は、室内機の吹出口周辺の、化粧石膏ボードからなる内装面に付着した汚れを除去する方法であって、
汚れが付着した内装面を研磨する研磨工程と、
研磨工程において発生し前記内装面に付着した前記化粧石膏ボードの粉体を当該内装面に放置した状態で、前記研磨をした内装面に水を噴霧する噴霧工程と
を含むことを特徴としている。
【００１２】
本発明の第１の観点に係る汚れ除去方法では、化粧石膏ボードからなる内装面において汚れが付着した部位を研磨した後、当該内装面に付着した前記化粧石膏ボードの粉体を放置した状態で、前記研磨をした内装面に水を噴霧している。研磨により汚れを除去するので、洗浄のようなムラが生じることがない。また、研磨後の内装面に水を噴霧することにより、研磨により生じた化粧石膏ボードの粉体が当該化粧石膏ボードの表面と一体化するので、乾燥後の化粧石膏ボードの表面の美観が向上する。
【００１３】
（２）前記（１）の汚れ除去方法において、前記室内機は、化粧パネルを備えた天井埋め込み型の室内機であり、
前記内装面は天井面であり、
前記研磨工程は、前記化粧パネルを天井面に取り付けた状態で行われてもよい。
この場合、研磨対象の化粧石膏ボードを裏側から支持することなく、汚れが付着している天井面を研磨することができる。
【００１４】
（３）前記（２）の汚れ除去方法において、前記研磨工程は、室内機の化粧パネルを新しい化粧パネルと交換した後に行われてもよい。この場合、古い化粧パネルを新しい化粧パネルと交換した後に天井面の汚れを研磨で除去するので、新品の化粧パネルが周囲から浮いてしまうことがない。
【００１５】
（４）本発明の第２の観点に係る汚れ除去方法は、室内機の吹出口周辺の、化粧石膏ボードからなる内装面に付着した汚れを除去する方法であって、
前記室内機は、化粧パネルを備えた天井埋め込み型の室内機であり、
前記内装面は天井面であり、
前記室内機の化粧パネルを取り外した状態で、前記天井面を裏側から支持しつつ汚れが付着した天井面を研磨することを特徴としている。
【００１６】
本発明の第２の観点に係る汚れ除去方法では、室内機の化粧パネルを取り外した状態で、天井面を裏側から支持しつつ汚れが付着した天井面を研磨するので、化粧パネルを気にすることなく汚れが付着している化粧石膏ボードからなる天井面を確実にきれいにすることができる。
【００１７】
（５）前記（４）の汚れ除去方法において、研磨時に発生し前記天井面に付着した前記化粧石膏ボードの粉体を当該天井面に放置した状態で、前記天井面に水を噴霧してもよい。この場合、研磨後の内装面に水を噴霧することにより、研磨により生じた化粧石膏ボードの粉体が当該化粧石膏ボードの表面と一体化するので、乾燥後の化粧石膏ボードの表面の美観が向上する。
【発明の効果】
【００１８】
本発明の汚れ除去方法は、空調室の内装面に付着した汚れを簡単に且つムラを残すことなく除去することができる。
【図面の簡単な説明】
【００１９】
【図１】天井埋め込み型室内機が配設された天井面付近を斜め下方から見た説明図である。
【図２】図１に示される天井埋め込み型室内機の断面説明図である。
【図３】吹出口近傍の天井面にほこりが付着する様子を説明する図である。
【図４】本発明の汚れ除去方法の一実施の形態の工程説明図である。
【図５】（a）は本発明の汚れ除去方法を施工する前の天井面を示しており、（ｂ）は同方法施工後の天井面を示している。
【発明を実施するための形態】
【００２０】
以下、添付図面を参照しつつ、本発明の汚れ除去方法の実施の形態を詳細に説明する。図１は、天井埋め込み型室内機が配設された天井面付近を下方から見た説明図であり、図２は、図１に示される天井埋め込み型室内機の断面説明図である。
【００２１】
図１〜２に示される天井埋め込み型室内機１は、空調室の天井面２０に埋め込まれるタイプの室内機であり、天井裏スペースに配設されるケーシング２、および天井面２０の開口に配置される化粧パネル３を備えている。ケーシング２は、下面が開口した略箱形状を呈しており、このケーシング２内には、モータ４ａとファンロータ４ｂとからなる送風機４、この送風機４を囲むように配設された熱交換器５、この熱交換器５からの凝縮水を貯留するドレンパン６、および、このドレンパン６に溜まった前記凝縮水を機外に排出するドレンポンプ（図示せず）が配設されている。
【００２２】
化粧パネル３は、前記ケーシング２の下面中央の開口を覆うように配設されており、空調室の空気を吸い込むための吸込口７と、この吸込口７の外周において矩形を描くように配置された４つの吹出口８とを有している。吸込口７には、吸込グリル９と、この吸込グリル９から吸い込まれた空気中の塵埃などを除去するためのフィルタ１０と、このフィルタ１０の上方において、吸込口７から吸い込まれた空気をケーシング２内に案内するベルマウス１１が配設されている。一方、吹出口８には、図示しないモータによって当該吹出口８の長手方向に延びる軸回りに揺動されるフラップ１２が設けられており、このフラップ１２の揺動により、吹出口８から空調室内に吹き出される空気流の向きを変更させることができるようになっている。
【００２３】
このような天井埋め込み型室内機１を運転させると、吹出口８から空調室内に吹き出される空気流の向きや風速によっては、図３に示されるように、当該吹出口８近傍の天井面付近に渦流Ｓが発生する。その結果、空調室内の天井面付近に存在するほこりが当該渦流Ｓによって天井面２０に吹き付けられ、そのまま天井面２０に付着して汚れとなることがある。そして、長期間に亘り天井埋め込み型室内機１を運転させる間に、かかる汚れが徐々にひどくなり、遂には汚れが付着した天井面２０が黒っぽく変色してしまう。
【００２４】
本実施の形態に係る汚れ除去方法は、天井埋め込み型室内機１の化粧パネル３を新しいものと交換する際に、前述したほこりに起因する天井面２０の汚れを除去するものである。
【００２５】
図４は、本実施の形態に係る汚れ除去方法の工程説明図であり、天井を構成する化粧石膏ボード３０の一部と化粧パネル３とを描いている。図４の（ａ）は、天井埋め込み型室内機１の化粧パネル３が新しいものと交換された状態を示している。この場合、化粧パネル３の吹出口近傍の化粧石膏ボード３０の表面（天井面）が汚れたままであるのに対し、新品の化粧パネル３は汚れが付着していないきれいな外観であるので、当該化粧パネル３だけが浮いて見える。
【００２６】
そこで、図４の（ｂ）に示されるように、化粧パネル３の吹出口近傍の化粧石膏ボード３０の表面を研磨する。研磨作業は、例えば、一面が開口したケーシング３１内に振動板３２ａと、この振動板３２ａを振動させるモータ３３とが収容された研磨機３４を用いて行うことができる。振動板３２ａの表面にはサンドペーパー３２ｂが配設されている。モータ３３は、研磨機３４に付設されたバッテリー（図示せず）により回転される。
【００２７】
前記化粧石膏ボード３０の表面と接触するサンドペーパー３２ｂが高速で振動することにより、当該化粧石膏ボード３０の表面が研磨され、その表面に付着していた汚れが化粧石膏ボード３０の表層の一部とともに除去される。
【００２８】
ついで、本実施の形態では、図４の（ｃ）に示されるように、サンドペーパー３２ｂにより研磨した化粧石膏ボード３０の表面にノズル３５から水を噴霧する。この場合、本実施の形態では、研磨工程後に化粧石膏ボード３０の表面に残っている化粧石膏ボード３０の粉体を、例えば吸引などで取り去らずにそのままの状態に放置している。したがって、化粧石膏ボード３０の表面に残っている化粧石膏ボード３０の粉体の上から水が噴霧される。水を噴霧することにより、前記粉体が化粧石膏ボード３０の表面と一体化し、乾燥後の化粧石膏ボード３０の表面の美観が向上する。
【００２９】
図５の（ａ）は、本発明の汚れ除去方法を施工する前の化粧石膏ボード３０の表面（天井面）であって、化粧パネル３の外縁部近傍部分の写真であり、同（ｂ）は、前述した実施の形態に係る汚れ除去方法を施工した後の化粧パネル３の外縁部近傍部分の写真である。図５より、化粧石膏ボード３０の表面の汚れ、特に当該表面の凹部の縁部の汚れがきれいに取り除かれていることが分かる。
【００３０】
なお、本実施の形態では、新しい化粧パネル３を取り付けた後に化粧石膏ボード３０の汚れ付着部分の研磨作業を行っているが、古い化粧パネル３を取り外した状態で研磨作業を行うことも可能である。ただし、この場合は、研磨作業時における、化粧パネル取付用の天井面開口に臨む化粧石膏ボード３０の縁部の破損を防ぐために、当該化粧石膏ボード３０の裏側を支持しつつ研磨作業を行う必要がある。裏側からの支持は、片方の手で研磨作業を行う作業員の他方の手により行うことができる。裏側からの支持に際しては、帯板などの治具を化粧石膏ボード３０の裏面に当接させてもよい。
【００３１】
〔その他の変形例〕
なお、今回開示された実施の形態はすべての点において単なる例示であって制限的なものではないと考えられるべきである。本発明の範囲は、前記した意味ではなく、特許請求の範囲によって示され、特許請求の範囲と均等の意味及び範囲内のすべての変更が含まれることが意図される。
【００３２】
例えば、前述した実施の形態では、空調室の内装面として天井面を例示しているが、本発明の汚れ除去方法は、空調室の内装面に付着した汚れを除去するものであり、天井面以外に、壁面に付着した汚れの除去にも本発明を適用することができる。
【００３３】
また、前述した実施の形態では、化粧パネルを新しいものと交換する際に天井面の汚れを除去しているが、化粧パネルを交換することなく室内機の吹出口周辺の天井面または壁面の汚れを除去する場合にも本発明を適用することができる。
【００３４】
また、前述した実施の形態では、室内機として天井に埋め込まれる天井埋め込み型のものを例示しているが、これ以外に、天井吊り下げ型室内機、壁埋め込み型室内機、壁掛け型室内機などの吹出口付近の天井面や壁面に付着した汚れの除去にも本発明を適用することができる。
【００３５】
また、前述した実施の形態では、モータにより振動する振動板の表面に配設されたサンドペーパーを用いて化粧石膏ボードの表面を研磨しているが、本発明における研磨工程において採用される手段はこれに限定されるものではなく、例えばグラインダーや回転ブラシなどの工具を用いて化粧石膏ボードの表面を研磨することもでき、さらにはサンドペーパーなどを用いてマニュアルで化粧石膏ボードの表面を研磨することもできる。
【符号の説明】
【００３６】
１      天井埋め込み型室内機
３      化粧パネル
８      吹出口
２０      天井面
３４      研磨機
３５      ノズル
Ｓ      渦流
【図１】
2014119203.tif 000003
【図２】
2014119203.tif 000004
【図３】
2014119203.tif 000005
【図４】
2014119203.tif 000006
【図５】
2014119203.tif 000007